(57)【要約】【課題】設置スペースや作業スペースが限られている場合でも、物品の計量に関する複数の処理を容易に行うことが可能な組合せ計量装置を提供する。【解決手段】タッチパネル４は、切替部７により選択部６の選択機能がオフモードからオンモードに切り替えられた場合には、選択された組合せに係る複数の計量部２による計量結果の合算値を組合せ重量として表示する。これに対して、タッチパネル４は、切替部７により選択部６の選択機能がオンモードからオフモードに切り替えられた場合には、区分け部８によってグループに区分けされた計量部２による計量結果に基づいた表示を行う。例えば、４つのグループに区分けされた場合には、タッチパネル４の画面が４つのエリアに分割され、各エリアにおいて各グループに属する各計量部２の計量結果の合算値等が表示される。【選択図】図２
2011043463.tif 000002
【特許請求の範囲】
【請求項１】
複数の計量皿上の物品の重量を計量する複数の計量部と、前記計量部によって得られた各計量値に基づいて組合せ演算を行い、得られた組合せ重量が目標重量に近い組合せとなるように、前記各計量部の組合せを選択する選択部と、前記組合せ重量を表示する計量結果表示部と、を備え、前記計量皿に対して物品を手動で載降する組合せ計量装置であって、
前記組合せを行う機能のオンモードとオフモードとの切り替えを行う切替部を備え、
前記切替部によって前記オフモードに切り替えられた場合には、前記計量結果表示部は、前記各計量部によって計量された計量値を表示すること特徴とする組合せ計量装置。
【請求項２】
前記複数の計量部の各々を複数のグループに区分けする区分け部をさらに備え、
前記計量結果表示部は、前記区分け部により区分けされた複数のグループの各々に属する１または複数の前記計量部による計量結果の単一値または合算値を表示することを特徴とする請求項１記載の組合せ計量装置。
【請求項３】
前記各計量部にそれぞれ対応付けられ、前記選択部によって選択された場合にその旨を示す識別表示を行う複数の識別表示部をそれぞれ前記各計量部の近傍にさらに備え、
前記切替部によって前記オフモードに切り替えられた場合には、同一の前記グループに属する前記１または複数の計量部に対応付けられた前記識別表示部は、単一または同一種の表示を行うことを特徴とする請求項２記載の組合せ計量装置。
【請求項４】
前記識別表示部による単一または同一種の表示は、単一色または同一色によって行われることを特徴とする請求項３記載の組合せ計量装置。
【請求項５】
前記複数の計量部の各々による計量結果の変化を経時的に判定する判定部をさらに備え、
前記判定部は、物品の載置または除去が行われるべき同一の前記グループと異なるグループに属する前記計量部による計量結果が変化した場合に異常と判定することを特徴とする請求項２〜４のいずれか１項に記載の組合せ計量装置。
【請求項６】
前記複数の計量皿の高さをそれぞれ調整する高さ調整装置をさらに備えたことを特徴とする請求項１〜５のいずれか１項に記載の組合せ計量装置。
【発明の詳細な説明】
【技術分野】
【０００１】
本発明は、複数の計量部によって得られた各物品の重量により組合せ演算を行い、得られた組合せ重量が目標重量に近い組合せとなるように計量部の組合せを選択して、組合せごとに識別表示する組合せ計量装置に関する。
【背景技術】
【０００２】
従来、組合せ計量については公知となっている。例えば下記特許文献１に、所定回数連続して組合せ不良となった場合に適切な処理を行うことにより、全体の稼動率が低下しないように構成した組合せ計量または計数方法が開示されている。
【０００３】
また、例えば下記特許文献２には、手動式組合せ秤が開示されている。当該手動式組合せ秤においては、作業者が被計量物（商品）を計量皿に供給した後、所定重量または所定個数になる組合せの成立が２以上ある場合には、１回目に選択された計量皿上から商品の取集め作業をすれば、作業者は何らスイッチ操作等をすることなく当該作業の完了後自動的に残りの計量皿において次に選択された計量皿が表示される。これにより、手作業により商品の供給、排出作業を行う作業者の作業負担が軽減されるとともに、商品の取集め作業の完了前に次の組合せ表示がなされることがないため、作業者は１回目に選択された計量皿と２回目に選択された計量皿とを混同することなく商品の取集め作業を行うことができる。
【先行技術文献】
【特許文献】
【０００４】
【特許文献１】特開昭６１−２５０２７号公報
【特許文献２】特開平１−３０４３２５号公報
【発明の概要】
【発明が解決しようとする課題】
【０００５】
上で述べたように、特許文献１に記載の組合せ計量または計数方法および特許文献２に記載の手動式組合せ秤においては、物品の重量の組合せ計量を行うことは可能である。しかしながら、組合せ計量だけでなく所定の他の処理を行いたい場合には、当該処理を行うための機器を別に設ける必要がある。この場合、機器を設置するためのスペースおよび作業スペースが限られている場合には、上記機器を設けることができない。特に、農水産業の作業現場（集出荷場等）では、物品の組合せ計量を実施するための秤を多数使用しているので、これだけで大きな設置スペースおよび作業スペースを要している。
【０００６】
そこで、本発明の目的は、物品の計量に関する複数の処理を容易に行うことが可能な組合せ計量装置を提供することである。
【課題を解決するための手段】
【０００７】
（１）一の局面に従う組合せ計量装置は、計量皿上の物品の重量を計量する複数の計量部と、計量部によって得られた各計量値に基づいて組合せ演算を行い、得られた組合せ重量が目標重量に近い組合せとなるように、各計量部の組合せを選択する選択部と、組合せ重量を表示する計量結果表示部と、を備え、計量皿に対して物品を手動で載降する組合せ計量装置であって、組合せを行う機能のオンモードとオフモードとの切り替えを行う切替部を備え、切替部によってオフモードに切り替えられた場合には、計量結果表示部は、各計量部によって計量された計量値を表示するものである。
【０００８】
一の局面に従う組合せ計量装置においては、計量皿上の物品の重量が複数の計量部によって計量される。計量部によって得られた各計量値に基づいて選択部により組合せ演算が行われる。そして、得られた組合せ重量が目標重量に近い組合せとなるように、各計量部の組合せが選択部により選択される。組合せ重量は計量結果表示部に表示される。
【０００９】
組合せを行う機能のオンモードとオフモードとの切り替えが切替部によって行われる。切替部によってオンモードからオフモードに切り替えられた場合には、各計量部によって計量された計量値が計量結果表示部によって表示される。
【００１０】
このように、切替部によりオンモードからオフモードに切り替えられることによって、計量結果表示部を、組合せ重量を表示させる手段として用いるだけでなく、各計量部による物品の計量結果を表示させる手段、つまり、秤として用いることが可能となる。したがって、物品の重量を計量するための秤を別に設ける必要がないので、設置スペースおよび作業スペースの省スペース化を図ることができるとともに、秤の購入コストおよび管理コストを低減することができる。
【００１１】
（２）組合せ計量装置は、複数の計量部の各々を複数のグループに区分けする区分け部をさらに備え、計量結果表示部は、区分け部により区分けされた複数のグループの各々に属する１または複数の計量部による計量結果の単一値または合算値を表示してもよい。
【００１２】
この場合、複数の計量部の各々が区分け部により複数のグループに区分けされる。そして、区分け部により区分けされた複数のグループの各々に属する１または複数の計量部による計量結果の単一値または合算値が計量結果表示部に表示される。それにより、計量するのに複数の計量部が必要となる重量または大きさを有する物品であっても計量を行うことが可能である。また、同一グループ内であれば物品をいずれの計量部に載置しても計量が可能となるため、作業者は同一グループ内で載置すべき計量部を選別することなく物品を載置することができる。
【００１３】
（３）組合せ計量装置は、各計量部にそれぞれ対応付けられ、選択部によって選択された場合にその旨を示す識別表示を行う複数の識別表示部をそれぞれ各計量部の近傍にさらに備え、切替部によってオフモードに切り替えられた場合には、同一のグループに属する１または複数の計量部に対応付けられた識別表示部は、単一または同一種の表示を行ってもよい。
【００１４】
この場合、各計量部にそれぞれ対応付けられ、選択部によって選択された場合にその旨を示す識別表示を行う複数の識別表示部がそれぞれ各計量部の近傍に設けられる。切替部によってオフモードに切り替えられた場合には、同一のグループに属する１または複数の計量部に対応付けられた識別表示部により単一または同一種の表示が行われることによって、作業者は、ある計量部が同一のグループに属するかについて視覚的に確実に認識することができる。したがって、物品が載置されるべき計量部および物品が除去されるべき計量部が作業者にとって判り易くなる。
【００１５】
（４）識別表示部による単一または同一種の表示は、単一色または同一色によって行われてもよい。
【００１６】
この場合、識別表示部による単一または同一種の表示が単一色または同一色によって行われるので、物品が載置されるべき計量部および物品が除去されるべき計量部が作業者にとってより判り易くなる。
【００１７】
（５）組合せ計量装置は、複数の計量部の各々による計量結果の変化を経時的に判定する判定部をさらに備え、判定部は、物品の載置または除去が行われるべき同一のグループと異なるグループに属する計量部による計量結果が変化した場合に異常と判定してもよい。
【００１８】
この場合、複数の計量部の各々による計量結果の変化が判定部により経時的に判定される。そして、物品の載置または除去が行われるべき同一のグループと異なるグループに属する計量部による計量結果が変化した場合に、判定部により異常が発生したと判定される。それにより、作業者が物品を載置すべき計量部または物品を除去すべき計量部を誤認した場合について確実に検知できる。
【００１９】
（６）組合せ計量装置は、複数の計量皿の高さをそれぞれ調整する高さ調整装置をさらに備えてもよい。
【００２０】
この場合、複数の計量皿の高さが高さ調整装置によってそれぞれ調整される。例えば、グループ内の計量皿の高さを統一し、他のグループの計量皿と比較して高さを変えた場合には、作業者はグループごとの計量皿を容易に認識することができるとともに、容易に物品の載せ降ろしを行うことができる。また、作業者が組合せ計量装置の一側方から作業する場合にも、複数の計量皿の高さを、作業者が作業する側から最も離れている列から当該作業者が作業する側に最も近い列に向かうにつれ低く設定することが可能であるので、物品の載せ降ろしが行い易くなる。
【図面の簡単な説明】
【００２１】
【図１】本実施形態に係る組合せ計量装置の概略的構成を示す斜視図である。
【図２】組合せ計量装置の構成を示すブロック図である。
【図３】組合せ計量装置における主要部の上視図である。
【図４】区分け部によって区分けされたグループの例を示す説明図である。
【図５】図４のグループごとの組合せ重量の表示例を示す模式図である。
【図６】区分け部によって区分けされたグループの例を示す説明図である。
【図７】図６のグループごとの組合せ重量の表示例を示す模式図である。
【図８】区分け部によって区分けされたグループの例を示す説明図である。
【図９】図８のグループごとの組合せ重量の表示例を示す模式図である。
【図１０】区分け部によって区分けされたグループの例を示す説明図である。
【図１１】図１０のグループごとの組合せ重量の表示例を示す模式図である。
【図１２】区分け部によって区分けされたグループの例を示す説明図である。
【図１３】図１２のグループごとの組合せ重量の表示例を示す模式図である。
【発明を実施するための形態】
【００２２】
以下、本発明の実施形態に係る組合せ計量装置について図面を参照しつつ説明する。
【００２３】
図１は本実施形態に係る組合せ計量装置１００の概略的構成を示す斜視図であり、図２は組合せ計量装置１００の構成を示すブロック図であり、図３は組合せ計量装置１００における主要部の上視図である。
【００２４】
図１に示すように、組合せ計量装置１００は、物品の載置および除去を手動で行うものであって、本体１と、物品を計量する複数の計量部２と、後述の制御部５により、目標重量に近い組合せとして選択された計量部２の組合せを識別表示する複数の表示部３と、組合せに係る複数の計量部２による計量結果の合算値を組合せ重量として表示するタッチパネル４と、各構成部を制御する制御部５とを主として備える。
【００２５】
各計量部２の上部に設けられている各皿２ａ上に物品がそれぞれ載置されることにより、ロードセル等の重量検出器（図示せず）によって各物品の重量を計量できるようになっている。
【００２６】
タッチパネル４は、液晶パネルであり、制御部５による制御に従って各種情報を画面に表示するとともに、操作者が画面の所定位置に触れることによって、所定の情報を入力することができるように構成されている。
【００２７】
図２に示すように、制御部５は、選択部６、切替部７、区分け部８および判定部９を含む。なお、制御部５は図示しないＣＰＵ（中央演算処理装置）、ＲＡＭ（ランダムアクセスメモリ）およびＲＯＭ（リードオンリーメモリ）等によって構成される。当該ＣＰＵがＲＡＭまたはＲＯＭに格納されているプログラムを実行することによって、選択部６、切替部７、区分け部８および判定部９が機能的に実現されている。このようなプログラムは、当該プログラムが記録されたＣＤ−ＲＯＭ、ＤＶＤ−ＲＯＭ等の記録媒体および半導体メモリ等の記録媒体を含む可搬型の記録媒体からインストールすることが可能である。また、ネットワークを介してサーバからプログラムをダウンロードすることも可能である。
【００２８】
また、制御部５は、タッチパネル４から入力された目標重量に近い重量等の入力データ、複数の計量部２から入力された重量データ等の各種入力データを処理する入力処理、および種々の情報をタッチパネル４へ出力する表示処理等を行う。
【００２９】
選択部６は、各計量部２によって得られた各物品の重量に基づいて組合せ演算を行い、得られた組合せ重量が目標重量に近い組合せとなるように、計量部２の組合せを選択する。
【００３０】
例えば、１パック３個入りの明太子の商品（物品）を考える。各計量部２の皿２ａ上にそれぞれ明太子が載置される。目標重量は１パック３個入りで２４０ｇとする。
【００３１】
選択部６により選択された３つの計量部２による各計量結果の合算値（組合せ重量）が２４０ｇであれば、これら３つの計量部２の組合せが目標重量に等しい組合せとなる。また、選択部６により選択された３つの計量部２による各計量結果の合算値（組合せ重量）が例えば２３５ｇ〜２４５ｇであれば、これら３つの計量部２の組合せが目標重量に近い組合せとなる。
【００３２】
切替部７は、選択部６による組合せを選択する機能（以下、選択機能と呼ぶことがある）のオンモードとオフモードとの切り替えを行う。
【００３３】
したがって、選択部６は、切替部７によりオンモードに切り替えられた場合には上述したように計量部２の組合せを選択し、オフモードに切り替えられた場合には組合せの選択動作を行わない。なお、オンモードからオフモードへの切り替えおよびオフモードからオンモードへの切り替えを切替部７に実行させるための操作部（図示せず）が本体１またはタッチパネル４に設けられている。
【００３４】
また、組合せ計量装置１００は、各計量部２の各皿２ａの高さをそれぞれ調整する高さ調整装置１０を備える。高さ調整装置１０については後述する。
【００３５】
図３に示すように、複数の計量部２は、計量部２−１〜２−１２からなり、本体１上において２行６列の形態で設けられている。なお、各計量部２により計量された物品の重量データは、図示しないインターフェース等を介して、制御部５へと送信されるようになっている。
【００３６】
図３において、識別表示部３は、複数種の色表示が可能なＬＥＤなどの発光部からなり、計量部２−１〜２−１２のそれぞれに一つずつ対応するように本体１に設けられている。識別表示部３は、目標重量に近い組合せとして選択部６により選択された各計量部２に関連付けされて、その旨を示す識別表示を行う。例えば、選択部６の選択機能がオンモードの場合で、計量部２−１、２−７、２−１０の組合せ重量が目標重量に近い組合せであれば、当該計量部２−１、２−７、２−１０の各々に対応する各識別表示部３は例えば黄色に点灯する等の同一の識別表示を行う。
【００３７】
ここで、本実施形態では、タッチパネル４は、切替部７により選択部６の選択機能がオフモードからオンモードに切り替えられた場合には、選択された組合せに係る複数の計量部２による計量結果の合算値を組合せ重量として表示する。
【００３８】
これに対して、タッチパネル４は、切替部７により選択部６の選択機能がオンモードからオフモードに切り替えられた場合には、区分け部８によってグループに区分けされた計量部２による計量結果（単一値または合算値）に基づいた表示を行う。例えば、４つのグループに区分けされた場合には、タッチパネル４の画面が４つのエリアに分割され、各エリアにおいて各グループに属する各計量部２の計量結果の合算値等が表示される。
【００３９】
区分け部８は、選択部６がオフモードである場合、複数の計量部２の各々を１または複数のグループに区分けする。この場合、識別表示部３は、対応付けされた計量部２がどのグループに属するかを示す識別表示を行う。当該識別表示は、単一色または同一色によって行われる。
【００４０】
したがって、区分け部８によって計量部２−１〜２−１２が１のグループに区分けされた場合、つまり、１２個の計量部２−１〜２−１２が全て同一のグループに属する場合には、各識別表示部３は単一色による識別表示を行う。
【００４１】
一方、区分け部８によって計量部２−１〜２−１２が例えば計量部２−１〜２−６のグループと計量部２−７〜２−１２のグループとの２つのグループに区分けされた場合には、計量部２−１〜２−６にそれぞれ対応付けされた各識別表示部３は例えば赤色の同一色により識別表示を行い、計量部２−７〜２−１２にそれぞれ対応付けされた各識別表示部３は例えば青色の同一色により識別表示を行う。
【００４２】
高さ調整装置１０は、次のように皿２ａの高さを調整することができる。例えば、高さ調整装置１０は、区分け部８によって区分けされたグループごとに当該グループ内の皿２ａの高さを統一する。また、高さ調整装置１０は、作業者が作業する側から離れている列を構成する各皿２ａの高さよりも、作業者が作業する側に近い列を構成する各皿２ａの高さが低くなるように調整する。
【００４３】
判定部９は、複数の計量部２の各々による計量結果の変化を経時的に判定し、物品の載置または除去が行われるべき同一のグループと異なるグループに属する計量部２による計量結果が変化した場合に異常と判定する。この場合、作業者が物品を載置すべきグループに係る計量部２または物品を除去すべきグループに係る計量部２を誤認した場合に、当該作業ミスを確実に検知することができる。
【００４４】
以下、区分け部８によって区分けされたグループの例について図面を参照しながら説明する。
【００４５】
図４、図６、図８、図１０および図１２は、区分け部８によって区分けされたグループの例を示す説明図である。また、図５は図４のグループごとの組合せ重量の表示例を示す模式図であり、図７は図６のグループごとの組合せ重量の表示例を示す模式図であり、図９は図８のグループごとの組合せ重量の表示例を示す模式図であり、図１１は図１０のグループごとの組合せ重量の表示例を示す模式図であり、図１３は図１２のグループごとの組合せ重量の表示例を示す模式図である。
【００４６】
図４に示すように、区分け部８によって、１２個の計量部２−１〜２−１２が、計量部２−１〜２−３で構成されるグループＧ１と、計量部２−４〜２−６で構成されるグループＧ２と、計量部２−７〜２−９で構成されるグループＧ３と、計量部２−１０〜２−１２で構成されるグループＧ４とにそれぞれ区分けされる。
【００４７】
このような区分けにより、計量部２−１〜２−３にそれぞれ対応付けされた各識別表示部３はグループＧ１に属し、計量部２−４〜２−６にそれぞれ対応付けされた各識別表示部３はグループＧ２に属し、計量部２−７〜２−９にそれぞれ対応付けされた各識別表示部３はグループＧ３に属し、計量部２−１０〜２−１２にそれぞれ対応付けされた各識別表示部３はグループＧ４に属することとなる。
【００４８】
この場合、グループＧ１に属する各識別表示部３は、例えば緑色による識別表示を行い、グループＧ２に属する各識別表示部３は、例えば黄色による識別表示を行い、グループＧ３に属する各識別表示部３は、例えば桃色（ピンク色）による識別表示を行い、グループＧ４に属する各識別表示部３は、例えば青色による識別表示を行う。これにより、作業者は、各計量部２がどのグループに属するかについて確実に認識することが可能となる。
【００４９】
図５に示すように、タッチパネル４においては、グループＧ１、Ｇ２、Ｇ３およびＧ４の組合せ重量がそれぞれ表示される。これにより、作業者はグループごとの組合せ重量を容易に把握できる。
【００５０】
図５のタッチパネル４においては、グループＧ１に属する計量部２−１、２−２、２−３の組合せ重量が２３５ｇと表示され、グループＧ２に属する計量部２−４、２−５、２−６の組合せ重量が２３０ｇと表示され、グループＧ３に属する計量部２−７、２−８、２−９の組合せ重量が２４２ｇと表示され、グループＧ４に属する計量部２−１０、２−１１、２−１２の組合せ重量が２４０ｇと表示される。
【００５１】
また、区分け部８は次のように区分けしてもよい。図６に示すように、区分け部８によって、１２個の計量部２−１〜２−１２が、計量部２−１〜２−６で構成されるグループＧ１と、計量部２−７〜２−１２で構成されるグループＧ２とにそれぞれ区分けされる。
【００５２】
このような区分けにより、計量部２−１〜２−６にそれぞれ対応付けされた各識別表示部３はグループＧ１に属し、計量部２−７〜２−１２にそれぞれ対応付けされた各識別表示部３はグループＧ２に属することとなる。
【００５３】
この場合、グループＧ１に属する各識別表示部３は、例えば緑色による識別表示を行い、グループＧ２に属する各識別表示部３は、例えば桃色による識別表示を行う。
【００５４】
図７に示すように、タッチパネル４においては、グループＧ１およびＧ２の組合せ重量がそれぞれ表示される。これにより、作業者はグループごとの組合せ重量を容易に把握できる。
【００５５】
図７のタッチパネル４においては、グループＧ１に属する計量部２−１〜２−６の組合せ重量が４６５ｇと表示され、グループＧ２に属する計量部２−７〜２−１２の組合せ重量が４８２ｇと表示される。
【００５６】
また、区分け部８は次のように区分けしてもよい。図８に示すように、区分け部８によって、１２個の計量部２−１〜２−１２がそれぞれ同一のグループＧ１に属するように区分けされる。
【００５７】
このような区分けにより、計量部２−１〜２−１２にそれぞれ対応付けされた各識別表示部３は単一のグループＧ１に属することとなる。この場合、グループＧ１に属する各識別表示部３は、例えば黄色による単一の識別表示を行う。
【００５８】
図９に示すように、タッチパネル４においては、グループＧ１の組合せ重量が表示される。これにより、作業者はグループＧ１の組合せ重量を容易に把握できる。図９のタッチパネル４においては、グループＧ１に属する計量部２−１〜２−１２の組合せ重量が９４７ｇと表示される。
【００５９】
また、区分け部８は次のように区分けしてもよい。図１０に示すように、区分け部８によって、１２個の計量部２−１〜２−１２が、計量部２−１および２−２で構成されるグループＧ１と、計量部２−３および２−４で構成されるグループＧ２と、計量部２−５および２−６で構成されるグループＧ３と、計量部２−７および２−８で構成されるグループＧ４と、計量部２−９および２−１０で構成されるグループＧ５と、計量部２−１１および２−１２で構成されるグループＧ６とにそれぞれ区分けされる。
【００６０】
このような区分けにより、計量部２−１および２−２にそれぞれ対応付けされた各識別表示部３はグループＧ１に属し、計量部２−３および２−４にそれぞれ対応付けされた各識別表示部３はグループＧ２に属し、計量部２−５および２−６にそれぞれ対応付けされた各識別表示部３はグループＧ３に属し、計量部２−７および２−８にそれぞれ対応付けされた各識別表示部３はグループＧ４に属し、計量部２−９および２−１０にそれぞれ対応付けされた各識別表示部３はグループＧ５に属し、計量部２−１１および２−１２にそれぞれ対応付けされた各識別表示部３はグループＧ６に属することとなる。
【００６１】
この場合、グループＧ１に属する各識別表示部３は、例えば緑色による識別表示を行い、グループＧ２に属する各識別表示部３は、例えば黄色による識別表示を行い、グループＧ３に属する各識別表示部３は、例えば桃色（ピンク色）による識別表示を行い、グループＧ４に属する各識別表示部３は、例えば赤色による識別表示を行い、グループＧ５に属する各識別表示部３は、例えば青色による識別表示を行い、グループＧ６に属する各識別表示部３は、例えば橙色（オレンジ色）による識別表示を行う。
【００６２】
図１１に示すように、タッチパネル４においては、グループＧ１〜Ｇ６の組合せ重量がそれぞれ表示される。これにより、作業者はグループごとの組合せ重量を容易に把握できる。
【００６３】
図１１のタッチパネル４においては、グループＧ１に属する計量部２−１、２−２の組合せ重量が１５６ｇと表示され、グループＧ２に属する計量部２−３、２−４の組合せ重量が１５４ｇと表示され、グループＧ３に属する計量部２−５、２−６の組合せ重量が１５５ｇと表示され、グループＧ４に属する計量部２−７、２−８の組合せ重量が１６０ｇと表示され、グループＧ５に属する計量部２−９、２−１０の組合せ重量が１５８ｇと表示され、グループＧ６に属する計量部２−１１、２−１２の組合せ重量が１６４ｇと表示される。
【００６４】
さらに、区分け部８は次のように区分けしてもよい。図１２に示すように、区分け部８によって、１２個の計量部２−１〜２−１２の各々が、それぞれグループＧ１〜Ｇ１２に区分けされる。
【００６５】
このような区分けにより、計量部２−１〜２−１２にそれぞれ対応付けされた各識別表示部３は、それぞれグループＧ１〜Ｇ１２に属することとなる。この場合、各グループに属する識別表示部３は、互いに異なる色での識別表示を行う。
【００６６】
図１３に示すように、タッチパネル４においては、グループＧ１〜Ｇ１２の重量がそれぞれ表示される。これにより、作業者はグループごとの各重量を容易に把握できる。
【００６７】
図１３のタッチパネル４においては、グループＧ１に属する計量部２−１の重量が７９ｇと表示され、グループＧ２に属する計量部２−２の重量が７７ｇと表示され、グループＧ３に属する計量部２−３の重量が７５ｇと表示され、グループＧ４に属する計量部２−４の重量が７９ｇと表示され、グループＧ５に属する計量部２−５の重量が８０ｇと表示され、グループＧ６に属する計量部２−６の重量が７５ｇと表示される。
【００６８】
また、タッチパネル４においては、グループＧ７に属する計量部２−７の重量が８０ｇと表示され、グループＧ８に属する計量部２−８の重量が８０ｇと表示され、グループＧ９に属する計量部２−９の重量が７８ｇと表示され、グループＧ１０に属する計量部２−１０の重量が８０ｇと表示され、グループＧ１１に属する計量部２−１１の重量が８３ｇと表示され、グループＧ１２に属する計量部２−１２の重量が８１ｇと表示される。
【００６９】
＜本実施形態における効果＞
本実施形態に係る組合せ計量装置１００においては、タッチパネル４は、切替部７により選択部６の選択機能がオフモードからオンモードに切り替えられた場合には、選択された組合せに係る複数の計量部２による計量結果の合算値を組合せ重量として表示する。これに対して、タッチパネル４は、切替部７により選択部６の選択機能がオンモードからオフモードに切り替えられた場合には、区分け部８によってグループに区分けされた計量部２による計量結果に基づいた表示を行う。
【００７０】
これにより、一台の組合せ計量装置１００において組合せ計量が可能であるとともに、秤単体としての使用が可能となる。それにより、秤単体として用いるための機器を別に設ける必要がない。したがって、機器の設置スペースまたは作業スペースが限られている場合でも、組合せ計量および秤単体としての使用が可能となる。よって、設置スペースおよび作業スペースの省スペース化を図ることができるとともに、秤の購入コストおよび管理コストを著しく低減することができる。また、切替部７による切り替えを実行するための操作部（図示せず）が本体１またはタッチパネル４に設けられるので、作業者は処理の切り替えを容易に行うことができる。
【００７１】
また、本実施形態では、複数の計量部２の各々が区分け部８により複数のグループに区分けされ、区分けされた複数のグループの各々に属する１または複数の計量部２による計量結果の単一値または合算値がタッチパネル４に表示される。それにより、計量するのに複数の計量部２が必要となる重量または大きさを有する物品であっても計量を行うことが可能である。また、同一グループ内であれば物品をいずれの計量部２に載置しても計量が可能となるため、作業者は載置すべき計量部２を選別することなく物品を載置することができる。それにより、作業効率化を図ることができる。
【００７２】
また、本実施形態では、切替部７によってオンモードからオフモードに切り替えられた場合には、同一のグループに属する１または複数の計量部２に対応付けられた識別表示部３により単一色または同一色の表示が行われることによって、作業者は、ある計量部２が同一のグループに属するかについて視覚的に確実に認識することができる。したがって、物品が載置されるべき計量部２および物品が除去されるべき計量部２が作業者にとって判り易くなる。
【００７３】
また、本実施形態では、物品の載置または除去が行われるべき同一のグループと異なるグループに属する計量部２による計量結果が変化した場合に、判定部９により異常が発生したと判定される。それにより、作業者が物品を載置すべき計量部２または物品を除去すべき計量部２を誤認した場合を確実に検知することが可能となる。
【００７４】
さらに、本実施形態では、高さ調整装置１０によってグループごとに当該グループ内の皿２ａの高さを統一し、他のグループの皿２ａと比較して高さをそれぞれ変えることによって、作業者はグループごとの皿２ａを容易に認識することができるとともに、容易に物品の載せ降ろしを行うことができる。また、高さ調整装置１０によって作業者が作業する側から離れている列を構成する各皿２ａの高さよりも、作業者が作業する側に近い列を構成する各皿２ａの高さが低くなるように調整することによって、作業者が組合せ計量装置１００の一側方から作業する場合に物品の載せ降ろしを非常に行い易くなる。
【００７５】
＜請求項の各構成要素と本実施形態の各部との対応関係＞
なお、上記実施の形態においては、計量部２、２−１〜２−１２が計量部に相当し、皿２ａが計量皿に相当し、選択部６が選択部に相当し、タッチパネル４が計量結果表示部に相当し、切替部７が切替部に相当し、区分け部８が区分け部に相当し、識別表示部３が識別表示部に相当し、判定部９が判定部に相当し、高さ調整装置１０が高さ調整装置に相当し、グループＧ１〜Ｇ１２のうち１または複数のグループがグループに相当し、組合せ計量装置１００が組合せ計量装置に相当する。
【００７６】
＜変形例＞
なお、上記実施形態では、図１２において各識別表示部３は、互いに異なる色での識別表示を行うこととしたが、これに限定されるものではなく、作業者が誤認しない範囲内で一部の識別表示部３が同一色での識別表示を行ってもよい。例えば、計量部２−３に対応付けされた識別表示部３と、計量部２−７に対応付けされた識別表示部３と、計量部２−１１に対応付けされた識別表示部３とが例えば黄色による識別表示を行ってもよい。
【００７７】
また、識別表示部３を、上述のように複数種の色表示が可能なＬＥＤ等の発光部により構成してもよいし、発光部からの光をフィルム等を透過させることによって所定の色表示を行うこととしてもよい。
【００７８】
また、識別表示部３の所定色での表示は、点灯により行ってもよいし、作業者が誤認しないのであれば点滅により行ってもよい。
【００７９】
また、上記実施形態では、制御部５のＣＰＵがＲＡＭまたはＲＯＭに格納されているプログラムを実行することによって、選択部６、切替部７、区分け部８および判定部９を機能的に実現することとしたが、これに限定されるものではなく、選択部６、切替部７、区分け部８および判定部９の全体または一部を、ＡＳＩＣ（Application
Specific Integrated Circuit）などとしてＬＳＩ（Large Scale Integration）化し、ファームウェアまたはハードウェアによって実現してもよい。
【００８０】
さらに、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８１】
１    本体
２、２−１〜２−１２    計量部
２ａ    皿
３    識別表示部
４    タッチパネル
５    制御部
６    選択部
７    切替部
８    区分け部
９    判定部
１０    高さ調整装置
１００    組合せ計量装置
Ｇ１〜Ｇ１２    グループ
【図９】
2011043463.tif 000003
【図１】
2011043463.tif 000004
【図２】
2011043463.tif 000005
【図３】
2011043463.tif 000006
【図４】
2011043463.tif 000007
【図５】
2011043463.tif 000008
【図６】
2011043463.tif 000009
【図７】
2011043463.tif 000010
【図８】
2011043463.tif 000011
【図１０】
2011043463.tif 000012
【図１１】
2011043463.tif 000013
【図１２】
2011043463.tif 000014
【図１３】
2011043463.tif 000015